(57)【要約】【課題】段ボールシート等のシート材に形成するスリットの切断面を綺麗な状態とすることができる切断加工用刃物を提供する。【解決手段】シート材にスリットを形成するための切断加工用刃物であって、刃物本体と、スリットを形成する溝切り刃と、剛性材料からなる押圧部とを備え、前記刃物本体は、扇形状に形成されており、前記溝切り刃は、前記刃物本体の外周部に沿って前記刃物本体の厚み方向両側縁にそれぞれ設けられており、前記押圧部は、前記刃物本体の厚み方向両側縁にそれぞれ設けられる各溝切り刃の間における前記刃物本体の外周部上に配置されており、該押圧部は、前記溝切り刃の刃先部よりも前記刃物本体の径方向外方へ突出する突出端面と、前記突出端面の各側縁及び前記溝切り刃の各刃先部をそれぞれ接続する傾斜面状の押圧補助面とを備え、前記押圧補助面には、複数の凹部からなる凹部群が形成されている切断加工用刃物。【選択図】図３
2019025574.tif 000002
【特許請求の範囲】
【請求項１】
シート材にスリットを形成するための切断加工用刃物であって、
刃物本体と、スリットを形成する溝切り刃と、剛性材料からなる押圧部とを備え、
前記刃物本体は、扇形状に形成されており、
前記溝切り刃は、前記刃物本体の外周部に沿って前記刃物本体の厚み方向両側縁にそれぞれ設けられており、
前記押圧部は、前記刃物本体の厚み方向両側縁にそれぞれ設けられる各溝切り刃の間における前記刃物本体の外周部上に配置されており、
該押圧部は、前記溝切り刃の刃先部よりも前記刃物本体の径方向外方へ突出する突出端面と、前記突出端面の各側縁及び前記溝切り刃の各刃先部をそれぞれ接続する傾斜面状の押圧補助面とを備え、
前記押圧補助面には、複数の凹部からなる凹部群が形成されている切断加工用刃物。
【請求項２】
前記押圧部は、前記刃物本体の外周部に沿うように構成されている請求項１に記載の切断加工用刃物。
【請求項３】
前記押圧部の突出端面は、平滑な湾曲面である請求項１又は２に記載の切断加工用刃物。
【請求項４】
前記各凹部は、前記刃物本体の周方向に沿って前記押圧補助面の全域に形成されている請求項１から３のいずれかに記載の切断加工用刃物。
【請求項５】
前記凹部群は、第１の凹部と、前記第１の凹部とは異なる形状を有する第２の凹部とを少なくとも備えるように構成される請求項１から４のいずれかに記載の切断加工用刃物。
【請求項６】
前記溝切り刃の刃先部は、ノコ歯状に形成されている請求項１から５のいずれかに記載の切断加工用刃物。
【請求項７】
前記凹部群が備える複数の凹部の内、少なくとも一部の凹部が、前記押圧端面の側縁の一部を含むように構成される請求項１から６のいずれかに記載の切断加工用刃物。
【請求項８】
前記凹部群が備える複数の凹部の内、少なくとも一部の凹部の周縁の一部分が、前記溝切り刃の刃先部の一部を構成する請求項１から７のいずれかに記載の切断加工用刃物。
【請求項９】
前記押圧部は、前記刃物本体に対して着脱自在に取り付け可能に構成されている請求項１から８のいずれかに記載の切断加工用刃物。
【発明の詳細な説明】
【技術分野】
【０００１】
本発明は、切断加工用刃物に関する。特に、ダンボールシート等のシート材にスリットを形成する切断加工用刃物に関する。
【背景技術】
【０００２】
物を保管又は移動等させるための包装箱として、図１５に示すような段ボールシート５０を組み立てて製造される段ボール箱が知られている。この段ボール箱の上蓋及び底板は、段ボールシート５０の一部にスリット５１，５２を形成して切り離された部分を互いに重なり合うように折り畳んで形成される。
【０００３】
このスリット５１，５２の形成に際して、溝切り装置が用いられるのが一般的であり、この溝切り装置には、図１６に示すような切断加工用刃物６０がよく用いられる（例えば、特許文献１の従来技術参照）。
【０００４】
この切断加工用刃物６０は、扇形状に形成された刃物本体部６１に切込生成刃６２と切断刃６３とが一体形成されている。切込生成刃６２は、刃物本体６１の外周面の一端から径方向外方に、刃物本体６１の端面と面一になるように突出しており、端面の幅方向両側に角部６４を備えている。切断刃６３は、刃物本体部６１の外周面に沿って、刃物本体６１の厚み方向両側にそれぞれ設けられている。
【０００５】
切断加工用刃物６０は、図１７及び図１８に示すような溝切り装置７０に取り付けられる。図１７は溝切り装置の概略構成を示す側面図であり、図１８は正面図である。この溝切り装置７０には、上述した切断加工用刃物６０が２枚取り付けられるが、それぞれの刃物を切断加工用刃物６０ａ，６０ｂとして、溝切り装置７０の構成について以下説明する。
【０００６】
溝切り装置７０は、上側回転軸７１及び下側回転軸７２を備えている。上側回転軸７１及び下側回転軸７２は、互いに平行に、シート給送ラインＬを挟んで対向するように配置されており、それぞれ円盤状の一対の上側回転ホルダ７３，７３及び一対の下側回転ホルダ７４，７４を備えている。
【０００７】
一対の上側回転ホルダ７３，７３には、２枚の切断加工用刃物６０ａ，６０ｂがそれぞれボルト等の締結具（図示せず）により挟持されている。これら切断加工用刃物６０ａ、６０ｂは、一対の回転ホルダ７３，７３の外周に沿って所定の間隔を空けて、かつ、それぞれの切込生成刃６２ａ，６２ｂが、外周方向に沿って向き合うように取り付けられる。これに対し、一対の下側回転ホルダ７４，７４のそれぞれの対向面には、２枚の受刃７５，７５が、切断加工用刃物６０ａ及び６０ｂの厚み寸法に対応した所定間隔をあけて取り付けられる。
【０００８】
次に、以上の構成を備えた溝切り装置７０を用いて、段ボールシート５０にスリットを形成する方法を説明する。図１７に示すように、上側回転ホルダ７３，７３及び下側回転ホルダ７４，７４を回転させた状態で、溝切り装置７０のシート給送ラインＬ上に沿って、段ボールシート５０を図１７の右側から溝切り装置７０に給送する。これにより、切断加工用刃物６０ａが、受刃７５，７５の隙間に挟み込まれて、段ボールシート５０が切断され、図１５に示すような終端部５３を終点とした前方スリット５１が形成される。同様に、他方の切断加工用刃物６０ｂが、受刃７５，７５の隙間に挟み込まれて、段ボールシート５０が切断され、始端部５４を起点とした後方スリット５２が形成される。
【先行技術文献】
【特許文献】
【０００９】
【特許文献１】特開平９−３９１１８号公報
【発明の概要】
【発明が解決しようとする課題】
【００１０】
ところが、従来から用いられている切断加工用刃物を用いてスリット加工を行った場合、その切断面の全域或いは一部領域が、図１９（ａ）〜（ｃ）に示すように、湾曲した状態や、波打った状態、或いは、ギザギザな状態となってしまうという問題があった。このような切断不良部が発生してしまうと、シート材の見た目が悪く、該シート材の商品価値が低下することとなる。
【００１１】
本発明は、このような問題を解決するためになされたものであって、段ボールシート等のシート材に形成するスリットの切断面を綺麗な状態とすることができる切断加工用刃物を提供することを目的とする。
【課題を解決するための手段】
【００１２】
本発明の前記目的は、シート材にスリットを形成するための切断加工用刃物であって、刃物本体と、スリットを形成する溝切り刃と、剛性材料からなる押圧部とを備え、前記刃物本体は、扇形状に形成されており、前記溝切り刃は、前記刃物本体の外周部に沿って前記刃物本体の厚み方向両側縁にそれぞれ設けられており、前記押圧部は、前記刃物本体の厚み方向両側縁にそれぞれ設けられる各溝切り刃の間における前記刃物本体の外周部上に配置されており、該押圧部は、前記溝切り刃の刃先部よりも前記刃物本体の径方向外方へ突出する突出端面と、前記突出端面の各側縁及び前記溝切り刃の各刃先部をそれぞれ接続する傾斜面状の押圧補助面とを備え、前記押圧補助面には、複数の凹部からなる凹部群が形成されている切断加工用刃物により達成される。
【００１３】
このような押圧部を備えているため、段ボールシート等のシート材にスリットを形成する際、突出端面がシート材を押圧して該シート材を変形させた後、溝切り刃がシート材を切断することとなる。溝切り刃によって切断されるシート材の所定個所は、切断される直前に、突出端面によるシート材の押圧により張力が作用してピンと張られた状態となるため、溝切り刃がシート材の所定位置にしっかりと食い込み、スムーズに切断されることとなる。更に、突出端面がシート材を押圧して該シート材を変形させる際、押圧補助面も同様にシート材を押圧して変形させることとなるが、このとき、押圧補助面に形成される複数の凹部の内部にシート材が部分的に食い込むことになる為、溝切り刃によってシート材が切断される際の該シート材の位置ズレをより効果的に抑制することができる。この結果、切断面の全域或いは一部領域が、湾曲した状態や、波打った状態、或いは、ギザギザな状態となってしまうことを効果的に防止し、綺麗な切断面を有するスリットを形成することが可能となる。ここで、溝切り刃の刃先部の形状は特に限定されないが、該溝切り刃の刃先部は、ノコ歯状に形成されることが好ましい。
【００１４】
また、上記切断加工用刃物において、前記押圧部は、前記刃物本体の外周部に沿うように構成されていることが好ましい。このように、押圧部を刃物本体の外周部に沿うように構成することにより、シート材に形成されるスリット全域において、その切断面を綺麗な状態とすることが可能となる。
【００１５】
また、前記押圧部の突出端面は、平滑な湾曲面であることが好ましい。このように、押圧部の突出端面を平滑な湾曲面とすることにより、シート材におけるスリット形成領域を、均一な押圧力で押圧変形させることが可能となり、この結果、スリットの切断面をより一層綺麗な状態とすることができる。
【００１６】
また、前記各凹部は、前記刃物本体の周方向に沿って前記押圧補助面の全域に形成されていることが好ましい。このような構成を採用することにより、シート材に形成されるスリット全域において、その切断面を綺麗な状態とすることが可能となる。
【００１７】
また、前記凹部群は、第１の凹部と、前記第１の凹部とは異なる形状を有する第２の凹部とを少なくとも備えるように構成されることが好ましい。このように異なる形状を備える凹部の集合として凹部群を構成することにより、より一層、溝切り刃によってシート材が切断される際の該シート材の位置ズレを効果的に抑制することができ、切断面の全域或いは一部領域が、湾曲した状態や、波打った状態、或いは、ギザギザな状態となってしまうことを効果的に防止し、綺麗な切断面を有するスリットを形成することが可能となる。
【００１８】
また、前記凹部群が備える複数の凹部の内、少なくとも一部の凹部が、前記押圧端面の側縁の一部を含むように構成してもよい。また、前記凹部群が備える複数の凹部の内、少なくとも一部の凹部の周縁の一部分が、前記溝切り刃の刃先部の一部を構成するようにしてもよい。
【００１９】
また、前記押圧部は、前記刃物本体に対して着脱自在に取り付け可能に構成されていることが好ましい。
【発明の効果】
【００２０】
本発明によれば、段ボールシート等のシート材に形成するスリットの切断面を綺麗な状態とすることができる切断加工用刃物を提供することができる。
【図面の簡単な説明】
【００２１】
【図１】本発明の一実施形態に係る切断加工用刃物の平面図である。
【図２】図１のＡ−Ａ断面図である。
【図３】図１に示す切断加工用刃物の断面形状の変形例を示す要部拡大断面図である。
【図４】図１に示す切断加工用刃物の断面形状の変形例を示す要部拡大断面図である。
【図５】図１に示す切断加工用刃物の要部拡大平面図である。
【図６】図１に示す切断加工用刃物によってスリット加工されるシート材の状態を説明する説明図である。
【図７】図１に示す切断加工用刃物によってスリット加工されるシート材の状態を説明する説明図である。
【図８】図１に示す切断加工用刃物の断面形状の変形例を示す要部拡大断面図である。
【図９】図１に示す切断加工用刃物の断面形状の変形例を示す要部拡大断面図である。
【図１０】図１に示す切断加工用刃物の断面形状の変形例を示す要部拡大断面図である。
【図１１】図１に示す切断加工用刃物が有する複数の凹部に関する変形例を示す要部拡大平面図である。
【図１２】図１に示す切断加工用刃物が有する複数の凹部に関する変形例を示す要部拡大平面図である。
【図１３】図１に示す切断加工用刃物の変形例を示す要部拡大平面図である。
【図１４】図１に示す切断加工用刃物の変形例を示す要部拡大平面図である。
【図１５】スリットが形成された後の段ボールシートの概略平面図である。
【図１６】従来の切断加工用刃物の平面図である。
【図１７】図１に示す切断加工用刃物が取り付けられた溝切り装置の概略構成を示す側面図である。
【図１８】図１に示す切断加工用刃物が取り付けられた溝切り装置の概略構成を示す正面図である。
【図１９】段ボールシートに形成されたスリットの一例を示す拡大図である。
【発明を実施するための形態】
【００２２】
以下、本発明の実施形態について添付図面を参照して説明する。図１は、本発明の一実施形態にかかる切断加工用刃物を示す平面図であり、図２は、そのＡ−Ａ断面図である。切断加工用刃物１は、段ボールシートや合成樹脂製シート等のシート材にスリットを形成するための刃物であり、図１及び図２に示すように、刃物本体２と、溝切り刃２１と、押圧部３と、切込生成刃４とを備えている。
【００２３】
刃物本体２は、ステンレスや鉄、工具鋼等の金属材料により形成されており、図１に示すように、平面視において扇形状に形成されている。
【００２４】
溝切り刃２１は、従来の切断加工用刃物６０（図１６参照）と同様に、刃物本体２の外周部に沿って、刃物本体２の厚み方向両側縁にそれぞれ設けられている。
【００２５】
押圧部３は、刃物本体２の厚み方向両側縁にそれぞれ設けられる各溝切り刃２１により挟まれる領域であって、刃物本体２の外周部上に配置されており、溝切り刃２１の刃先部よりも刃物本体２の径方向外方へ突出する突出端面３１を備えている。この押圧部３は、ステンレスや鉄、工具鋼等といった剛性のある金属材料により構成されている。押圧部３は、刃物本体２の外周部に沿うように構成されており、該押圧部３の一方の端部は、刃物本体２の外周部の一方の周方向端部位置２ａに配置されている。また、押圧部３の他方の端部は、刃物本体２の外周面の他方の周方向端部位置２ｂに配置される切込生成刃４の近傍に配置されている。また、押圧部３の突出端面３１は、平滑な湾曲面となるように形成されている。溝切り刃２１の刃先に対する突出端面３１の突出量Ｈは、スリットが形成される段ボールシート５０の厚さ若しくは硬さ、又は溝切り装置の回転軸７１，７２の回転速度等により適宜決められるものであるが、例えば、溝切り刃２１の刃先に対する突出端面３１の突出量Ｈが、１０ｍｍ以下となるように設定することが好ましい。
【００２６】
また、押圧部３は、図２の断面図に示すように、突出端面３１の長手方向に沿う側縁と、溝切り刃２１の刃先部とを接続する傾斜面状の押圧補助面３２を突出端面３１の両側に備えている。本実施形態においては、押圧補助面３２を、断面視において、直線状の傾斜面となるように構成している。ここで、突出端面３１の側縁と溝切り刃２１の刃先部とを接続する押圧補助面３２は、図３の要部拡大断面図に示すように、溝切り刃２１の刃先が先鋭となるような傾斜面として構成してもよく、或いは、図４の要部拡大断面図に示すように、刃先が鈍角を構成するような傾斜面として構成してもよい。この押圧補助面３２には、図５の要部拡大平面図に示すように、複数の凹部３２１からなる凹部群が形成されている。凹部群を構成する各凹部３２１は、刃物本体の周方向に沿って押圧補助面３２の全域に分散して形成されている。ここで、図３（ａ）及び図４（ａ）は、図５におけるＢ−Ｂ断面位置に対応する断面図であり、図３（ｂ）及び図４（ｂ）は、図５におけるＣ−Ｃ断面に対応する断面図である。なお、本実施形態においては、同一の形態を有するように各凹部３２１を構成している（図５においては、平面視において円形の凹部３２１が形成されている）。なお、各凹部３２１は、シート材切断時において、シート材の一部が食い込むように構成される限りにおいて、その大きさや形状は特に限定されない。また、各凹部３２１は、所定間隔をあけて、前記刃物本体の周方向に沿って押圧補助面３２に形成されることが好ましいが、例えば、特に、シート材に形成されるスリットにおいて、その切断面が湾曲してしまう個所や波打ってしまう個所等に対応する刃物本体の周方向位置における押圧補助面３２の所定位置に形成するように構成してもよい。
【００２７】
切込生成刃４は、切断加工用刃物１によりスリット加工されるときに出る屑片の一端を段ボールシートから切り落とすための刃部であり、刃物本体２の外周面の一端から径方向外方に、刃物本体２の端面と面一になるように突出しており、端面の幅方向両側に角部を備えている。
【００２８】
以上の構成を備えた切断加工用刃物１は、例えば図１７及び図１８に示すような溝切り装置７０に取り付けられて使用される。段ボールシートにスリットを形成する方法は、上記背景技術で説明した方法と同一であるため、ここでは詳細な説明を省略する。
【００２９】
本実施形態に係る切断用加工刃物１は、刃物本体２の厚み方向両側縁にそれぞれ設けられる各溝切り刃２１の間における刃物本体２の外周部上に配置され、溝切り刃２１の刃先よりも刃物本体２の径方向外方へ突出する突出端面３１を有する剛性材料からなる押圧部３を備えているため、段ボールシート等のシート材にスリットを形成する際、図６に示すように、突出端面３１がシート材を最初に押圧して該シート材を変形させた後、溝切り刃２１がシート材を切断することとなる。溝切り刃２１によって切断されるシート材５０の所定個所は、切断される直前に、突出端面３１によるシート材の押圧により張力が作用してピンと張られた状態となるため、溝切り刃２１がシート材５０の所定位置にしっかりと食い込み、スムーズに切断されることとなる。この結果、切断面の全域或いは一部領域が、湾曲した状態や、波打った状態、或いは、ギザギザな状態となってしまうことを効果的に防止し、綺麗な切断面を有するスリットを形成することが可能となる。
【００３０】
また、押圧部３は、刃物本体２の外周部に沿うようにその略全域に構成されているため、シート材５０に形成されるスリット全域において、その切断面を綺麗な状態とすることが可能となる。また、押圧部３の突出端面３１は、平滑な湾曲面であることから、シート材５０におけるスリット形成領域を、均一な押圧力で押圧変形させることが可能となる。この結果、スリットの切断面をより一層綺麗な状態とすることができる。
【００３１】
更に、本実施形態に係る切断用加工刃物１は、押圧部３が、突出端面３１の側縁と溝切り刃２１の刃先とを接続する傾斜面状の押圧補助面３２を備え、当該押圧補助面３２に、複数の凹部３２１からなる凹部群をそなえるように構成されている。このような構成により、押圧部３によってシート材５０の押圧変形を進行させた場合に、図７に示すように、押圧補助面３２も同様にシート材５０を押圧して変形させることとなる。この押圧補助面３２の押圧作用により、押圧補助面３２に形成される複数の凹部３２１の内部にシート材が部分的に食い込むことになり、溝切り刃２１の刃先近傍に存在するシート材５０の一部領域を確実にホールドし押さえることができるため、シート材５０に対する溝切り刃２１の位置が切断前にズレたり、切断途中で溝切り刃２１の刃先が滑ってしまうことを防止してスリット加工を行うことができる。この結果、切断面の全域或いは一部領域が、湾曲した状態や、波打った状態、或いは、ギザギザな状態となってしまうことを効果的に防止し、綺麗な切断面を有するスリットを形成することが可能となる。
【００３２】
以上、本発明の一実施形態に係る切断加工用刃物１について説明したが、切断加工用刃物１の具体的構成は、上記実施形態に限定されない。例えば、上記実施形態においては、図２（図３〜図４）に示すように、押圧補助面３２を、断面視において、直線状の傾斜面となるように構成しているが、図８に示すように、断面視において、押圧補助面３２が、押圧部３の突出方向とは反対方向に窪む湾曲面状となるように構成してもよい。ここで、押圧部３の突出方向とは反対方向に窪む湾曲面状とは、図８に示すように、断面視において、突出端面３１の側縁と溝切り刃２１の刃先とを接続するなだらかな曲面により形成される面の他、図９の断面図に示すように、平面部３２ａと曲面部３２ｂとを組み合して形成される面や、図１０の断面図に示すように、複数の平面部３２ａを組み合わせて形成される面をも含む概念である。ここで、図８〜図１０は、図５におけるＢ−Ｂ断面位置に対応する断面図である。
【００３３】
また、上記実施形態においては、図５に示すように、押圧補助面３２に形成される凹部群を構成する各凹部３２１は、その開口縁と、押圧端面３１の長手方向に沿う側縁との間に所定の間隔を設けて配置されているが、このような構成に限定されず、例えば、図１１の要部拡大平面図に示すように、押圧端面３１の長手方向に沿う側縁の一部が、各凹部３２１の一部分（開口縁の一部）となるように、各凹部３２１を構成してもよい。つまり、凹部３２１が、押圧端面の側縁の一部を含むように構成してもよい。このような構成により、突出端面３１と押圧補助面３２とによりシート材５０を押圧変形させつつ、溝切り刃２１の刃先部によってシート材５０を切断する際の、シート材５０に対する溝切り刃２１の位置がズレたり、切断途中で溝切り刃２１の刃先が滑ってしまうことをより効果的に防止してスリット加工を行うことができる。この結果、切断面の全域或いは一部領域が、湾曲した状態や、波打った状態、或いは、ギザギザな状態となってしまうことを効果的に防止し、綺麗な切断面を有するスリットを形成することが可能となる。なお、図１１に示すように、凹部群が備える複数の凹部３２１の内、全ての凹部３２１に関して、押圧端面３１の長手方向に沿う側縁の一部が、各凹部３２１の一部分（開口縁の一部分）を構成するように構成してもよく、或いは、凹部群が備える複数の凹部３２１の内の少なくとも一部について、押圧端面３１の長手方向に沿う側縁の一部が、凹部３２１の一部分を構成するように構成してもよい。
【００３４】
また、上記実施形態においては、押圧補助面３２に形成される凹部群に関し、同一の形態を有するように各凹部３２１を構成しているが、このような構成に限定されず、例えば、図１２の要部拡大平面図に示すように、異なる形態を有する凹部の集合として凹部群を構成してもよい。なお、図１２においては、凹部群を、第１の凹部３２１ａと、当該第１の凹部３２１ａとは異なる形状を有する第２の凹部３２１ｂとの２種類の形態を有する凹部の集合として構成している。なお、図１２においては、第１の凹部３２１ａの開口縁の直径が、第２の凹部３２１ｂの開口縁の直径よりも大きくなるように構成している。また、図１２においては、形態の異なる２種類の凹部３２１ａ，３２１ｂを備えるように凹部群を構成しているが、形態の異なる３種類以上の凹部を備えるように凹部群を構成してもよい。また、図１２においては、第１の凹部３２１ａ及び第２の凹部３２１ｂを、刃物本体の周方向に沿って交互に配置するように構成しているが、このような配置に限定されず、ランダムに各凹部３２１を配置してもよい。
【００３５】
また、上記実施形態においては、図５に示すように、各凹部３２１の開口縁が、平面視において、円形となるように構成しているが、このような形態に特に限定されず、様々な形態として凹部３２１を構成することができる。
【００３６】
また、図１３や図１４の要部拡大平面図に示すように、溝切り刃２１の刃先部が、刃物本体の周方向に沿って伸びるノコ歯状に形成してもよい。このようなノコ歯状の刃先部は、例えば、凹部群が形成される前段階の傾斜面状の押圧補助面３２をエンドミル等の切削工具により所定深さ切削する工程を、刃物本体２の周方向に沿って順次行っていくことにより形成することができる。このような切削工程を経ることにより、ノコ歯状の刃先部を形成しつつ、同時に、複数の凹部３２１も傾斜面状の押圧補助面３２に形成することが可能となる。また、この図１３及び図１４に示される構成においては、凹部群が備える複数の凹部３２１の内、少なくとも一部の凹部の周縁の一部分が、溝切り刃２１の刃先部の一部（ノコ歯状の刃先）を構成している。このような構成により、突出端面３１と押圧補助面３２とによりシート材５０を押圧変形させつつ、溝切り刃２１の刃先部によってシート材５０を切断する際の、シート材５０に対する溝切り刃２１の位置がズレたり、切断途中で溝切り刃２１の刃先が滑ってしまうことをより効果的に防止してスリット加工を行うことができる。この結果、切断面の全域或いは一部領域が、湾曲した状態や、波打った状態、或いは、ギザギザな状態となってしまうことを効果的に防止し、綺麗な切断面を有するスリットを形成することが可能となる。
【００３７】
また、上記実施形態においては、刃物本体２を構成する素材から押圧部３を形成し、刃物本体２と押圧部３とは一体的となるように構成されているが、例えば、押圧部３が、刃物本体２に対して着脱自在に取り付け可能となるように構成してもよい。具体的には、例えば、刃物本体２の内周部側から外周部側に貫通する貫通孔を形成し、刃物本体２の内周部側から当該貫通孔に挿入されるボルトにより、刃物本体２とは別体として構成される押圧部３を、刃物本体２の外周部上に固定できるように構成してもよい。このような構成によれば、刃物本体２の外周部と押圧部３との間にプレート状のスペーサ部材を介在させて、押圧部３を刃物本体２に設置することが可能となり、押圧部３の突出端面３１の位置（突出量）を所望の位置（所望の突出量）に設定することが可能となる。
【符号の説明】
【００３８】
１  切断加工用刃物
２  刃物本体
２１  溝切り刃
３  押圧部
３１  突出端面
３２  押圧補助面
３２１  凹部
４  切込生成刃
５０  シート材
【図１】
2019025574.tif 000003
【図２】
2019025574.tif 000004
【図３】
2019025574.tif 000005
【図４】
2019025574.tif 000006
【図５】
2019025574.tif 000007
【図６】
2019025574.tif 000008
【図７】
2019025574.tif 000009
【図８】
2019025574.tif 000010
【図９】
2019025574.tif 000011
【図１０】
2019025574.tif 000012
【図１１】
2019025574.tif 000013
【図１２】
2019025574.tif 000014
【図１３】
2019025574.tif 000015
【図１４】
2019025574.tif 000016
【図１５】
2019025574.tif 000017
【図１６】
2019025574.tif 000018
【図１７】
2019025574.tif 000019
【図１８】
2019025574.tif 000020
【図１９】
2019025574.tif 000021
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
シート材にスリットを形成するための切断加工用刃物であって、
刃物本体と、スリットを形成する溝切り刃と、剛性材料からなる押圧部とを備え、
前記刃物本体は、扇形状に形成されており、
前記溝切り刃は、前記刃物本体の外周部に沿って前記刃物本体の厚み方向両側縁にそれぞれ設けられており、
前記押圧部は、前記刃物本体の厚み方向両側縁にそれぞれ設けられる各溝切り刃の間における前記刃物本体の外周部上に配置されており、
該押圧部は、前記溝切り刃の刃先部よりも前記刃物本体の径方向外方へ突出する突出端面と、前記突出端面の各側縁及び前記溝切り刃の各刃先部をそれぞれ接続する傾斜面状の押圧補助面とを備え、
前記押圧補助面には、複数の凹部からなる凹部群が形成されており、
前記凹部群は、第１の凹部と、前記第１の凹部とは異なる形状を有する第２の凹部とを少なくとも備えるように構成される切断加工用刃物。
【請求項２】
前記押圧部は、前記刃物本体の外周部に沿うように構成されている請求項１に記載の切断加工用刃物。
【請求項３】
前記押圧部の突出端面は、平滑な湾曲面である請求項１又は２に記載の切断加工用刃物。
【請求項４】
前記各凹部は、前記刃物本体の周方向に沿って前記押圧補助面の全域に形成されている請求項１から３のいずれかに記載の切断加工用刃物。
【請求項５】
前記溝切り刃の刃先部は、ノコ歯状に形成されている請求項１から４のいずれかに記載の切断加工用刃物。
【請求項６】
前記凹部群が備える複数の凹部の内、少なくとも一部の凹部が、前記突出端面の側縁の一部を含むように構成される請求項１から５のいずれかに記載の切断加工用刃物。
【請求項７】
前記凹部群が備える複数の凹部の内、少なくとも一部の凹部の周縁の一部分が、前記溝切り刃の刃先部の一部を構成する請求項１から６のいずれかに記載の切断加工用刃物。